(57)【要約】【課題】狭視角表示時において表示面を斜め方向から見たときにより十分な視角制限効果が得られる液晶表示装置を提供する。【解決手段】本発明の液晶表示装置は、一対の基板間に液晶層が挟持され、少なくとも複数の表示画素が配置された表示領域を有し、表示面の法線方向に対して所定の角度をなす斜め方向におけるコントラスト比が法線方向におけるコントラスト比よりも小さい狭視角表示が可能であって、狭視角表示時に、液晶層への実効印加電圧を時間的に変化させることにより、斜め方向における輝度を、表示画素での画像表示時の駆動周波数よりも低い周波数で時間的に変化させる輝度制御手段を備えている。【選択図】図９
2010243520.tif 000002
【特許請求の範囲】
【請求項１】
一対の基板間に液晶層が挟持され、少なくとも複数の表示画素が配置された画像表示領域を有し、表示面の法線方向に対して所定の角度をなす斜め方向におけるコントラスト比が前記法線方向におけるコントラスト比よりも小さい狭視角表示が可能な液晶表示装置であって、
前記狭視角表示時に、前記液晶層への実効印加電圧を時間的に変化させることにより、前記斜め方向における輝度を、前記表示画素での画像表示時の駆動周波数よりも低い周波数で時間的に変化させる輝度制御手段を備えたことを特徴とする液晶表示装置。
【請求項２】
前記画像表示領域内に、前記複数の表示画素に加えて、前記法線方向において暗表示を行うとともに前記斜め方向において前記斜め方向の角度に応じた明表示を行う複数の視角制御画素が設けられたことを特徴とする請求項１に記載の液晶表示装置。
【請求項３】
前記液晶層への実効印加電圧を時間的に変化させる手段として、前記視角制御画素が有する容量成分と前記表示画素が有する容量成分とを異ならせることを特徴とする請求項２に記載の液晶表示装置。
【請求項４】
前記液晶層への実効印加電圧を時間的に変化させる手段として、前記視角制御画素の画素電極に印加する電圧を複数フレーム毎に時間的に変化させることを特徴とする請求項２に記載の液晶表示装置。
【請求項５】
前記複数フレーム毎に極性が反転した電圧を前記視角制御画素の前記画素電極に印加することを特徴とする請求項４に記載の液晶表示装置。
【請求項６】
前記複数の表示画素の画素電極に印加する明表示電圧と暗表示電圧との組み合わせを複数フレーム毎に時間的に変化させることを特徴とする請求項１に記載の液晶表示装置。
【請求項７】
前記輝度が時間的に変化する輝度変化周波数が６０Ｈｚ未満であることを特徴とする請求項１ないし６のいずれか一項に記載の液晶表示装置。
【請求項８】
前記斜め方向における輝度の変化量が最大輝度に対して５％以上であることを特徴とする請求項１ないし７のいずれか一項に記載の液晶表示装置。
【請求項９】
前記斜め方向が前記法線方向に対して前記表示面の前記法線方向および水平方向を含む面内で４０°の角度をなし、前記斜め方向におけるコントラスト比が５：１以下であることを特徴とする請求項１ないし８のいずれか一項に記載の液晶表示装置。
【請求項１０】
請求項１ないし９のいずれか一項に記載の液晶表示装置を表示部として備えたことを特徴とする電子機器。
【発明の詳細な説明】
【技術分野】
【０００１】
本発明は、液晶表示装置および電子機器に関する。
【背景技術】
【０００２】
液晶表示装置は、従来から視角が狭いという課題を有しており、広い視角特性が求められている。特に、多人数で表示を見るテレビジョンやカーナビゲーション、デジタルカメラなどを用途とするものがそうである。一方、使用者が一人で表示を見ているときには他人に覗かれたくないという要求もあり、その場合は、逆に狭い視角特性が求められている。例えば公共の場で使用するノートパソコンや携帯電話などを用途とするものがそうである。近年、例えばノートパソコンでテレビ番組を見たり、携帯電話でゲームをしたりというように、同じ機器であっても使い方によって広視角、狭視角を切り替えたいという要求が高まってきた。
【０００３】
このような要求に対して、表示用液晶素子に加えて位相差制御用液晶素子を備え、位相差制御用液晶素子に印加する電圧を制御することによって視角特性を変化させるものが特許文献１に提案されている。この特許文献１では、位相差制御用液晶素子で用いる液晶モードとして、カイラルネマチック液晶、ホモジニアス液晶、ランダム配向のネマチック液晶などが例示されている。また、上述した要求に対して、液晶表示装置の表示面に特殊なフィルムを貼り付けることにより、液晶表示装置の透過光の方向を必要な範囲に限定し、不要な部分への光の照射を制限して、液晶表示装置の可視角度をコントロールする技術も提案されている。
【０００４】
昨今では、視角制限機能を液晶表示装置の一つの機能として搭載しているものもあり、例えば下記の特許文献２〜５に記載のものが提案されている。これらの液晶表示装置はいずれも狭視角表示モードを有しており、狭視角表示モードでは斜め方向から見たときのコントラスト比を低下させることで視角が制限されるようになっている。
【先行技術文献】
【特許文献】
【０００５】
【特許文献１】特開平１１−１７４４８９号公報
【特許文献２】特開２００８−１７０５０６号公報
【特許文献３】特開２００８−１９１６４５号公報
【特許文献４】特開２００７−２９８９９４号公報
【特許文献５】特開２００６−９８４８２号公報
【発明の概要】
【発明が解決しようとする課題】
【０００６】
上記の特許文献２〜５に記載のものは、表示用液晶素子とは別に位相差制御用液晶素子や特殊なフィルムを準備する必要がなく、表示用液晶素子だけで対応できる点で優れたものである。しかしながら、これらの液晶表示装置を用いたとしても、厳密には斜め方向から見たときのコントラスト比が１：１になるまで低下しないと画像が見えないようにならない。したがって、斜め方向から見ても画像がぼんやりと見えてしまい、視角制限効果が十分でなかった。
【０００７】
本発明は、上記の課題を解決するためになされたものであって、狭視角表示時において表示面を斜め方向から見たときにより十分な視角制限効果が得られる液晶表示装置、およびこれを備えた電子機器を提供することを目的とする。
【課題を解決するための手段】
【０００８】
上記の目的を達成するために、本発明の液晶表示装置は、一対の基板間に液晶層が挟持され、少なくとも複数の表示画素が配置された表示領域を有し、表示面の法線方向に対して所定の角度をなす斜め方向におけるコントラスト比が前記法線方向におけるコントラスト比よりも小さい狭視角表示が可能な液晶表示装置であって、狭視角表示時に、前記液晶層への実効印加電圧を時間的に変化させることにより、前記斜め方向における輝度を、前記表示画素での画像表示時の駆動周波数よりも低い周波数で時間的に変化させる輝度制御手段を備えたことを特徴とする。
【０００９】
表示面の法線方向に対する斜め方向において、本来であればコントラスト比を低下させるだけでなく、表示品位を低下させるために、改善対策を取るべきフリッカー（ちらつき）を、本発明者らは、意図的に発生させることによりコントラスト比低下の効果とフリッカー発生の効果とが相俟って斜め方向からの表示がさらに見難くできることに思い至った。すなわち、本発明の液晶表示装置においては、輝度制御手段の作用によって液晶層への実効印加電圧が時間的に変化し、これにより、斜め方向における輝度が画像表示時の駆動周波数よりも低い周波数で時間的に変化してフリッカーが生じる。このようにして、本発明の液晶表示装置によれば、視角制限効果を従来よりも高めることができる。
【００１０】
本発明の液晶表示装置において、前記表示領域内に、前記複数の表示画素に加えて、前記法線方向において暗表示を行うとともに前記斜め方向において前記斜め方向の角度に応じた明表示を行う複数の視角制御画素が設けられた構成を採用しても良い。
表示画素のコントラスト比の視角特性のみを利用してフリッカーを発生させても良いが、上記構成によれば、表示画素のコントラスト比を低下させる機能を有する視角制御画素が表示画素とは別に設けられているので、視角制御画素による表示にフリッカーを生じさせることにより斜め方向からの画像を効果的に見難くすることができる。
【００１１】
本発明の液晶表示装置において、前記液晶層への実効印加電圧を時間的に変化させる手段として、前記視角制御画素が有する容量成分と前記表示画素が有する容量成分とを異ならせる構成を採用しても良い。
この構成によれば、視角制御画素が有する容量成分と表示画素が有する容量成分とが異なっているため、視角制御画素に対して直流成分が必然的に印加され、２フレーム周期の輝度変化を生じさせることができる。よって、視角制御画素に表示画素と同一の駆動信号を入力しても視角制御画素に輝度変化を生じさせることができ、特別な駆動信号を生成することなく本発明の効果が得られる。
【００１２】
本発明の液晶表示装置において、前記液晶層に印加される実効電圧を時間的に変化させる手段として、前記視角制御画素の画素電極に印加する電圧を複数フレーム毎に時間的に変化させる構成を採用しても良い。
この構成によれば、視角制御画素の画素電極に印加する電圧を複数フレーム毎に変化させることで視角制御画素に輝度変化を生じさせることができるため、上記の構成とは逆に、視角制御画素と表示画素とで容量成分を異ならせる必要がなく、容量成分を異ならせるための特別な画素設計が不要である。
【００１３】
さらに上記の構成において、前記複数フレーム毎に極性が反転した電圧を前記視角制御画素の前記画素電極に印加することが望ましい。
この構成によれば、液晶層に直流成分が印加されないため、直流成分の印加によって液晶材料の分極、分解が促進されるような不安定な材料を用いるときに有効な方策である。
【００１４】
本発明の液晶表示装置において、前記複数の表示画素の画素電極に印加する明表示電圧と暗表示電圧との組み合わせを複数フレーム毎に時間的に変化させる構成を採用しても良い。
この構成によれば、視角制御画素を備えることなく本発明の効果が期待できるため、視角制御効果を得るための特別な画素設計が不要である。
【００１５】
本発明の液晶表示装置において、前記輝度が時間的に変化する輝度変化周波数が６０Ｈｚ未満であることが望ましい。
また、本発明の液晶表示装置において、前記斜め方向における輝度の変化量が最大輝度に対して５％以上であることが望ましい。
また、本発明の液晶表示装置において、前記斜め方向が前記法線方向に対して前記表示面の前記法線方向および水平方向を含む面内で４０°の角度をなし、前記斜め方向におけるコントラスト比が５：１以下であることが望ましい。
以上の条件を満足した場合、観察者が斜め方向から画像を見たときに視覚的、心理的に負担を感じ、十分な視角制限効果が得られる。
【００１６】
本発明の電子機器は、上記本発明の液晶表示装置を表示部として備えたことを特徴とする。
本発明によれば、上記本発明の液晶装置を備えているので、十分な視角制限効果を有する液晶表示部を備えた電子機器を提供することができる。
【図面の簡単な説明】
【００１７】
【図１】本発明の第１実施形態の液晶表示装置を示す斜視図である。
【図２】同、液晶表示装置の等価回路図である。
【図３】同、液晶表示装置の画素配列を示す平面図である。
【図４】同、液晶表示装置の各画素のパターン構成を示す平面図である。
【図５】図４のＡ−Ａ’線に沿う断面図である。
【図６】サブ表示画素と視角制御画素の輝度の視角特性を示すグラフである。
【図７】視角制御画素の駆動時、非駆動時のコントラスト比の視角特性を示すグラフである。
【図８】各画素における駆動電圧と輝度との関係を示すグラフである。
【図９】表示画素、視角制御画素に供給する駆動信号の信号波形の一例を示す図である。
【図１０】視角制御画素に供給する駆動信号の信号波形の他の例を示す図である。
【図１１】本発明の第２実施形態の液晶表示装置の画素のパターン構成を示す平面図である。
【図１２】図１１のＢ−Ｂ線に沿う断面図である。
【図１３】同、液晶表示装置のＴ−Ｖ曲線図である。
【図１４】各表示電圧を印加したときの視角特性図である。
【図１５】本発明の電子機器の一例を示す図である。
【発明を実施するための形態】
【００１８】
［第１実施形態］
以下、本発明の第１の実施の形態を図１〜図１０を参照しつつ説明する。
本実施形態の液晶表示装置は、横電界方式の一つであるＦＦＳ（Fringe Field Switching）方式の透過型液晶表示装置の例である。
図１は、本実施形態の液晶表示装置の概略構成を示す斜視図である。図２は、液晶表示装置の等価回路図である。図３は、液晶表示装置の画素配列の一例を示す平面図である。図４は、液晶表示装置の各画素のパターン構成を示す平面図である。図５は、図４のＡ−Ａ’線に沿う断面図である。図６は、サブ表示画素と視角制御画素の輝度の視角特性を示すグラフである。図７は、視角制御画素の駆動時、非駆動時のコントラスト比の視角特性を示すグラフである。図８は、各画素における駆動電圧と輝度との関係を示すグラフである。図９は、表示画素、視角制御画素の各々に供給する駆動信号の信号波形の一例を示す図である。図１０は、視角制御画素に供給する駆動信号の信号波形の他の例を示す図である。
図１〜図１０の各図面においては、各層や各部材を図面上で認識可能な程度の大きさとするため、各層や各部材毎に縮尺を異ならせてある。
【００１９】
本実施形態における液晶表示装置１は、ＴＦＴ（Thin Film Transistor：薄膜トランジスタ）を画素スイッチング素子として用いたアクティブマトリックス型の液晶表示装置である。液晶表示装置１は、図１に示すように、素子基板２と、素子基板２と対向配置された対向基板３と、素子基板２と対向基板３との間に挟持された正の誘電異方性を有するネマチック液晶からなる液晶層４とを備えている。また、液晶表示装置１は、素子基板２と対向基板３とが対向する領域の外周部に設けられた枠状のシール材（図示略）によって素子基板２と対向基板３とが貼り合わせられている。そして、液晶表示装置１におけるシール材の内側に、表示領域が形成されている。
【００２０】
また、液晶表示装置１は、素子基板２の液晶層４と反対側の外面側に配置された第１偏光板５と、対向基板３の液晶層４と反対側の外面側に配置された第２偏光板６とを備えている。また、第１偏光板５の外面側には、バックライト（図示略）が設けられている。そして、液晶表示装置１は、素子基板２に実装されたＩＣチップなどの半導体装置からなるデータ線駆動回路７、走査線駆動回路８を備えている。なお、データ線駆動回路７および走査線駆動回路８は、素子基板２上に直接作り込まれた駆動回路から構成されていても良い。
【００２１】
液晶表示装置１の表示領域には、図２に示すように、複数の表示画素Ｐａと視角制御画素Ｐｂとがマトリクス状に配置されている。表示画素Ｐａは、Ｒ（赤）、Ｇ（緑）、Ｂ（青）の各色光を出力する３個のサブ表示画素Ｐｃを有している。ここで、表示画素Ｐａを構成する３つのサブ表示画素Ｐｃは、一方向（走査線１０に沿う方向）に沿って配列されている。そして、視角制御画素Ｐｂは、複数の表示画素Ｐａのそれぞれに対応して配置されており、対応する表示画素Ｐａの一方向において表示画素Ｐａと隣り合うように配置されている。また、同一色のサブ表示画素Ｐｃと視角制御画素Ｐｂは、一方向と直交する方向（データ線１１に沿う方向）にストライプ状に配列されている。複数のサブ表示画素Ｐｃと視角制御画素Ｐｂの各々は、画素電極１２，１３と、画素電極１２，１３をスイッチング制御するためのＴＦＴ素子１４とを有している。また、表示領域には、複数のデータ線１１と複数の走査線１０とが格子状に配置されている。
【００２２】
ＴＦＴ素子１４は、ソースがデータ線１１に接続され、ゲートが走査線１０に接続されるとともに、ドレインが画素電極１２，１３に接続されている。データ線１１は、データ線駆動回路７から画像信号Ｓ１〜Ｓｎをサブ表示画素Ｐｃと視角制御画素Ｐｂのそれぞれに供給する構成となっている。また、走査線１０は、走査線駆動回路８から走査信号Ｇ１〜Ｇｍをサブ表示画素Ｐｃと視角制御画素Ｐｂの各々に供給する構成となっている。
【００２３】
本実施形態において、データ線駆動回路７は、表示画素Ｐａを構成する３つのサブ表示画素Ｐｃのうち、緑色光を表示するサブ表示画素Ｐｃの輝度に応じてこの表示画素Ｐａと対応して配置された視角制御画素Ｐｂの輝度を設定する輝度制御部１６（輝度制御手段）を備えている。輝度制御部１６は、緑色を表示するサブ表示画素Ｐｃに供給される輝度階調信号を用いて視角制御画素Ｐｂに供給する画像信号を生成する構成となっている。なお、輝度制御部１６による輝度の制御方法については後述する。
【００２４】
なお、上記の例では、表示画素を構成する３つのサブ表示画素Ｐｃが一方向に配列されるとともに、視角制御画素Ｐｂを一方向で表示画素Ｐａと隣接して配列させているが、他の配列であってもよい。例えば、図３に示すように、表示画素Ｐａを構成する３つのサブ表示画素Ｐｃのうち、赤色光および緑色光を出力する２つのサブ表示画素Ｐｃを一方向に隣接して配列するとともに青色光を出力するサブ表示画素Ｐｃを一方向と直交する方向に隣接して配列し、この青色光を出力するサブ表示画素Ｐｃと一方向に隣接して視角制御画素Ｐｂを配列しても良い。
【００２５】
次に、液晶表示装置１の詳細な構成について、図４、図５を参照しながら説明する。
ここで、図４においては、表示画素Ｐａを構成する３つのサブ表示画素Ｐｃの配列方向である一方向（走査線１０に沿う方向）をＸ軸方向、これと直交する方向（データ線１１に沿う方向）をＹ軸方向とする。また、サブ表示画素Ｐｃは、平面視で略矩形状であって短手方向がＸ軸方向に沿っており、長手方向がＹ軸方向に沿っている。そして、視角制御画素Ｐｂは、サブ表示画素Ｐｃと同様に平面視で略矩形状であって短手方向がＸ軸方向に沿っており、長手方向がＹ軸方向に沿っている。なお、第１偏光板５の吸収軸はＸ軸方向となっており、第２偏光板６の吸収軸はＹ軸方向となっている。
【００２６】
素子基板２は、図４、図５に示すように、例えばガラスや石英、プラスチックなどの透光性材料からなる基板本体１８と、基板本体１８の内側（液晶層４側）から順次積層されたゲート絶縁膜１９、第１層間絶縁膜２０、第２層間絶縁膜２１、および配向膜２２を備えている。また、素子基板２は、基板本体１８の上面に形成された走査線１０と、ゲート絶縁膜１９の上面に形成されたデータ線１１、半導体層２３、ソース電極２４およびドレイン電極２５と、第１層間絶縁膜２０の上面に形成された共通電極２６と、第２層間絶縁膜２１の上面に形成された画素電極１２，１３と、を備えている。
【００２７】
ゲート絶縁膜１９は、例えばＳｉＯ２（酸化シリコン）などの透光性材料で形成されており、基板本体１８上に形成された走査線１０を覆っている。第１層間絶縁膜２０は、例えばＳｉＮ（窒化シリコン）などの透光性材料で形成されており、ゲート絶縁膜１９と、データ線１１、半導体層２３、ソース電極２４およびドレイン電極２５とを覆っている。第２層間絶縁膜２１は、例えば感光性アクリル樹脂などの透光性材料で形成されており、第１層間絶縁膜２０と共通電極２６とを覆っている。配向膜２２は、例えばポリイミドなどの樹脂材料で形成されており、第２層間絶縁膜２１と画素電極１２，１３とを覆っている。また、配向膜２２の表面には、液晶層４を構成する液晶分子４ａの初期配向方向を、図４に示すサブ表示画素Ｐｃおよび視角制御画素Ｐｂの各々の長手方向（Ｙ軸方向）とする配向処理が施されている。
【００２８】
走査線１０は、図４に示すように、平面視でサブ表示画素Ｐｃおよび視角制御画素Ｐｂの各々の短手方向（Ｘ軸方向）に沿って配置されている。そして、走査線１０は、図４、図５に示すように、平面視においてゲート絶縁膜１９を介して半導体層２３のチャネル領域と重なっている。データ線１１は、図４に示すように、平面視でサブ表示画素Ｐｃおよび視角制御画素Ｐｂの各々の長手方向（Ｙ軸方向）に沿って配置されている。半導体層２３は、図４、図５に示すように、アモルファスシリコンなどの半導体で形成されており、チャネル領域と不純物が注入されたソース領域およびドレイン領域と有している。ソース電極２４は、データ線１１から分岐して形成されており、半導体層２３のソース領域に接続されている。ドレイン電極２５は、半導体層２３のドレイン領域に接続されており、第１、第２層間絶縁膜２０，２１を貫通するコンタクトホールＨ１を介して画素電極１２，１３に接続されている。
【００２９】
共通電極２６は、例えばＩＴＯ（酸化インジウムスズ）などの透光性導電材料で形成されており、第１層間絶縁膜２０を略覆うように形成されている。そして、共通電極２６のうち、画素電極１２，１３とドレイン電極２５との導通を図るコンタクトホールＨ１の近傍には、画素電極１２，１３それぞれとの絶縁状態を確保するために、開口部が形成されている。共通電極２６には、例えば液晶層４の駆動に用いられる所定の一定電位あるいは０Ｖ、または所定の一定電位とこれと異なる他の所定の一定電位とが周期的（フレーム期間毎またはフィールド期間毎）に切り替わる信号が印加される。
【００３０】
画素電極１２，１３は、共通電極２６と同様、例えばＩＴＯなどの透光性導電材料で形成されている。画素電極１２は、図４、図５に示すように、サブ表示画素Ｐｃにおける第２層間絶縁膜２１上に形成されており、平面視で略梯子形状となっている。そして、画素電極１２は、平面視で直線状の一対の本線部１２ａと、サブ表示画素Ｐｃの略長手方向（Ｙ軸方向）に延在するとともにサブ表示画素Ｐｃの短手方向（Ｘ軸方向）に間隔をおいて形成された複数の帯状部１２ｂと、を備えている。
【００３１】
一対の本線部１２ａの各々は、サブ表示画素Ｐｃの長手方向（Ｙ軸方向）の端部に配置されており、短手方向（Ｘ軸方向）に沿って延在している。また、一対の本線部１２ａのうち、走査線１０に近接して配置された一方の本線部１２ａは、コンタクトホールＨ１を介してドレイン電極２５に接続されている。これにより、画素電極１２とＴＦＴ素子１４のドレインとが接続される。帯状部１２ｂは、サブ表示画素Ｐｃの長手方向に沿って互いに平行となるように形成されており、その両端が一対の本線部１２ａそれぞれに接続されている。なお、複数の帯状部１２ｂのうち、サブ表示画素Ｐｃの短手方向（Ｘ軸方向）の端部に配置されている帯状部１２ｂは、一対の本線部１２ａのいずれか一方とのみ接続されている。また、帯状部１２ｂは、その延在方向が長手方向（Ｙ軸方向）と非平行となるように設けられている。すなわち、帯状部１２ｂの延在方向は、平面視において走査線１０に近い側から遠い側に向かうにしたがってデータ線１１から離間する方向に斜めに延在している。
【００３２】
画素電極１３は、視角制御画素Ｐｂにおける第２層間絶縁膜２１上に形成されており、平面視で略梯子形状となっている。そして、画素電極１３は、平面視で矩形環状の枠部１３ａと、視角制御画素Ｐｂの略短手方向（Ｘ軸方向）に延在するとともに視角制御画素Ｐｂの長手方向（Ｙ軸方向）に間隔をおいて形成された複数の帯状部１３ｂと、を備えている。
【００３３】
枠部１３ａは、互いに対向する２対の辺がそれぞれ長手方向（Ｙ軸方向）、短手方向（Ｘ軸方向）に沿って延在している。また、枠部１３ａは、コンタクトホールＨ１を介してドレイン電極２５に接続されている。これにより、画素電極１３とＴＦＴ素子１４のドレインとが接続される。帯状部１３ｂは、視角制御画素Ｐｂの短手方向（Ｘ軸方向）に沿って互いに平行となるように形成されており、その両端がそれぞれ枠部１３ａのうち長手方向（Ｙ軸方向）に沿って延在する部分と接続されている。また、帯状部１３ｂは、その延在方向が短手方向（Ｘ軸方向）と略平行となるように設けられている。
【００３４】
以上の構成により、本実施形態の液晶表示装置１は、帯状部１２ｂ、１３ｂと共通電極２６との間に電圧を印加し、これにより生じる基板平面方向の電界（横電界）によって液晶を駆動する構成となっている。これにより、画素電極１２と共通電極２６、画素電極１３と共通電極２６とは、それぞれＦＦＳ方式の電極構造を構成している。
【００３５】
一方、対向基板３は、図５に示すように、基板本体２８と、基板本体２８の内面に順次積層された遮光膜２９、カラーフィルター層３０および配向膜３１とを備えている。遮光膜２９は、基板本体２８の表面において平面視でサブ表示画素Ｐｃおよび視角制御画素Ｐｂの周縁部と重なる領域に形成されており、サブ表示画素Ｐｃおよび視角制御画素Ｐｂを縁取っている。カラーフィルター層３０は、各サブ表示画素Ｐｃに対応して配置されており、例えばアクリル樹脂などで形成されており、各サブ表示画素Ｐｃで表示する色に対応する色材を含有している。ここで、各色のサブ表示画素Ｐｃがそれぞれ長手方向（Ｙ軸方向）に沿ってストライプ状に配置されているため、各色のカラーフィルター層３０もストライプ状に配置される。一方、視角制御画素Ｐｂに対応する領域には、カラーフィルター層３０が設けられていない。
配向膜３１は、図４に示すように、素子基板２側の配向膜３５と同様に、例えばポリイミドなどの樹脂材料で形成されており、表面に液晶分子４ａの初期配向方向を、サブ表示画素Ｐｃおよび視角制御画素Ｐｂそれぞれの長手方向（Ｙ軸方向）であって配向膜３５と反平行な方向とする配向処理が施されている。
【００３６】
以下、本実施形態の液晶表示装置１の動作について図６〜図１０を用いて説明する。
バックライトから射出された光は、第１偏光板５により直線偏光に変換されて液晶層４に入射する。ここで、サブ表示画素Ｐｃにおいて、画素電極１２と共通電極２６との間に電圧を印加しない非駆動時には、液晶層４に入射した直線偏光は、液晶層４により偏光状態が変わらず、入射時と同一の偏光状態で液晶層４から射出される。この直線偏光は、その偏光方向が第２偏光板６の吸収軸と平行であるため、第２偏光板５で吸収されて遮断される。したがって、サブ表示画素Ｐｃでは、非駆動時において暗表示がなされる。なお、サブ表示画素Ｐｃは、正面から見たときも斜め方向から見たときも、暗表示となる。
【００３７】
また、サブ表示画素Ｐｃにおいて、画素電極１２と共通電極２６との間に電圧を印加した駆動時には、液晶分子４ａは、図４に示す矢印Ａ３のように、帯状部１２ｂの配列方向であって帯状部１２ｂの延在方向と略直交する方向に配向する。これにより、液晶層４に入射した直線偏光は、液晶層４により所定の位相差が付与され、入射時の偏光方向と直交する直線偏光に変換されて液晶層４から射出される。そして、この直線偏光は第２偏光板６を透過する。したがって、サブ表示画素Ｐｃでは、駆動時において明表示がなされる。
ここで、サブ表示画素Ｐｃでは、図６に実線で示すように、正面から見たときに最も輝度が高くなり、斜め方向から見たときにその極角度が大きくなるにしたがって輝度が低くなる。なお、図６の横軸は極角度［度］、縦軸は輝度［相対値］である。
【００３８】
一方、視角制御画素Ｐｂにおいて、画素電極１３と共通電極２６との間に電圧を印加しない非駆動時には、上述のサブ表示画素Ｐｃと同様、液晶層４に入射した光が入射時と同一の偏光状態で液晶層４から射出され、第２偏光板６で遮断されるため、視角制御画素Ｐｂにおいても暗表示が行われる。このとき、視角制御画素Ｐｂは、正面から見たときも斜め方向から見たときも暗表示となる。
【００３９】
また、視角制御画素Ｐｂにおいて、画素電極１３と共通電極２６との間に電圧を印加した駆動時には、液晶分子４ａは、上層側の画素電極１３と下層側の共通電極２６との間に生じる電界の方向に応じて、図４に示す矢印Ａ２のように、素子基板２および対向基板３の基板面に対する法線方向に立ち上がるように配向する。このとき、視角制御画素Ｐｂでは、液晶分子４ａが基板面に対する法線方向に立ち上がったことで、図６に示すように、基板面の法線方向（極角度が０度）においては液晶層４における位相差の変化がないため、正面から見たときに暗表示となる。ところが、視角制御画素Ｐｂは、第２偏光板６の吸収軸方向における斜め方向から見たときに、液晶層４における位相差変化に応じてその極角度が大きくなるに従って輝度が向上し、輝度が最大輝度を示すときの極角度を超えると、今度は極角度が大きくなるに従って輝度が低下し、暗表示となる。すなわち、視角制御画素Ｐｂの輝度は、図６に破線で示すように、±４０度前後で最大輝度を持つように変化する。
【００４０】
ここで、データ線駆動回路７内の輝度制御部１６を用いて視角制御画素Ｐｂの輝度を制御する際には、まず、輝度制御部１６が、視角制御画素Ｐｂと対応する３つのサブ表示画素Ｐｃのうち、輝度への影響が最も高い緑色のサブ表示画素Ｐｃに供給される輝度階調信号を視角制御画素Ｐｂの輝度階調信号とする。そして、輝度制御部１６は、この輝度階調信号を用いて視角制御画素Ｐｂに供給する画像信号を生成する。この画像信号は、互いに対応する表示画素Ｐａと視角制御画素Ｐｂの輝度の合計の変化が表示画素Ｐａの輝度の変化よりも小さくなるような画像信号となっている。具体的には、例えば所定の極角度において、表示画素Ｐａの輝度が入力画像信号に含まれる輝度階調信号に応じて変化するとする。このとき、その極角度における互いに対応する表示画素Ｐａと視角制御画素Ｐｂの輝度の合計が輝度階調信号によらずに一定となるように、視角制御画素Ｐｂの輝度を設定する。
【００４１】
視角制御画素Ｐｂの非駆動時には、図６におけるサブ表示画素Ｐｃの輝度の視角特性がそのままコントラスト比の視角特性に反映されるため、図７に実線で示すように、画面の正面方向（極角度が０度）のコントラスト比が高く、斜め方向に傾く（極角度が大きくなる）に従ってコントラスト比がなだらかに低下する広視角の表示が得られる。この場合、例えば極角度が±８０度であっても２０以上のコントラスト比が得られ、画像の認識が可能である。
【００４２】
一方、視角制御画素Ｐｂの駆動時には、図６におけるサブ表示画素Ｐｃの輝度の視角特性に視角制御画素Ｐｂの輝度の視角特性が加わるため、図７に破線で示すように、画面の正面方向（極角度が０度）のコントラスト比は視角制御画素Ｐｂの非駆動時と同様に高いものの、斜め方向に傾く（極角度が大きくなる）とコントラスト比が急激に低下する傾向を持つ狭視角の表示が得られる。この場合、例えば極角度が±４０度以上になるとコントラスト比は２：１以下に低下し、画像は極めて見難い状態となる。なお、図７の横軸は極角度［度］、縦軸はコントラスト比である。
【００４３】
図６に示したように、視角制御画素Ｐｂによる視角制限効果は、極角度±４０度近傍にピークを持っている。そこで、極角度±４０度における表示画素Ｐａと視角制御画素Ｐｂのそれぞれにおいて液晶層４への印加電圧と輝度の関係を示したものが図８である。図８の横軸が印加電圧［Ｖ］、縦軸が透過率（輝度、入射光量を１としたときの射出光量の割合）［％］である。実線で示す曲線が表示画素Ｐａ（正面方向、極角度０度）の輝度、破線で示す曲線が表示画素Ｐａ（斜め方向、極角度４０度）の輝度、１点鎖線で示す曲線が視角制限画素Ｐｂ（斜め方向、極角度４０度）の輝度、をそれぞれ示している。
【００４４】
視角制御時における斜め方向から見たときの画像の明るさは、図８において破線で示す表示画素Ｐａの斜め方向での輝度と、１点鎖線で示す視角制御画素Ｐｂの斜め方向での輝度とを合わせたものとなる。そこで、２つを合わせた輝度を周期的に変化させ、その変化量が少なくとも最大輝度に対して５％以上となるように、輝度制御部１６が所定の画像信号を供給することで液晶層４への実効印加電圧を周期的に変化させる。これによって、正面方向から画像を見たときには輝度が変化しないが、斜め方向から画像を見たときには輝度が周期的に変化することで画像がちらついて見えることになる。
【００４５】
次に、液晶層４への実効印加電圧を周期的に変化させるための２つの手段について説明する。
第１の手段は、サブ表示画素Ｐｃと視角制御画素Ｐｂとで、それぞれの画素が持つ画素容量、ＴＦＴの寄生容量等の容量値を異ならせる設計を行うことである。
液晶表示装置を駆動する際には液晶の焼き付き等の不具合を避けるためにフレーム反転駆動等の交流駆動が採用されるのが通常である。ＴＦＴの駆動時にはゲートをハイレベルからローレベルに落とす瞬間に画素電極の電位が変動する。この際の電位変動量、いわゆるフィードスルー電圧は極性に対して非対称性を有するとともに、画素容量やＴＦＴの寄生容量の大きさに依存する。ここで、例えば共通電位を０Ｖに設定して駆動を行ったとすると、フィードスルー電圧の非対称性に起因して直流成分が発生し、焼き付き等の不具合が発生する虞がある。そのため、共通電位を０Ｖから若干オフセットさせる等の対策によりフィードスルー電圧の非対称分を補償する駆動方法が通常、採用される。
【００４６】
本実施形態に戻って、上述したように、サブ表示画素Ｐｃと視角制御画素Ｐｂとで容量を異ならせた場合、フィードスルー電圧の非対称分を補償する駆動方法を採用したとすると、共通電位のオフセット電圧等の駆動条件の最適化はサブ表示画素Ｐｃを基準として行うため、容量値が異なる視角制御画素Ｐｂに対しては最適化されない。そのため、視角制御画素Ｐｂに対しては必然的に直流成分が発生し、例えば正電位が印加されるフレームでは液晶層４への実効印加電圧が若干高めになり、負電位が印加されるフレームとでは液晶層４への実効印加電圧が若干低めになる、というような非対称性が生じる。その結果、サブ表示画素Ｐｃでは１フレームを周期とする反転駆動により駆動周波数６０Ｈｚの画像書き込みが行われる一方、視角制御画素Ｐｂにおいて２フレームを周期とする輝度変化が生じ、周波数３０Ｈｚのフリッカーが生じることになる。
【００４７】
第２の手段は、サブ表示画素Ｐｃと視角制御画素Ｐｂとに対して異なる画像信号（液晶駆動電圧）を供給することである。
サブ表示画素Ｐｃに対しては、例えば図９（Ａ）に示すように、一般的なＴＦＴ−ＬＣＤと同様、１フレーム毎に液晶駆動電圧の極性が反転する信号を印加する。このとき、正電位の書き込みと負電位の書き込みを対とした２フレームでの平均の実効印加電圧を０Ｖに近付けるように共通電位を調整することによって、サブ表示画素に対してはフリッカーを抑制した高品質の画像が得られるようにする。
【００４８】
一方、視角制御画素Ｐｂに対しては、例えば図９（Ｂ）に示すように、フレーム反転駆動を行いつつ、相対的に高い電圧＋ＶＨ、−ＶＨと相対的に低い電圧＋ＶＬ、−ＶＬとを２フレーム毎に交互に印加するというように、２フレーム毎に異なる実効電圧値を持つ液晶駆動信号を印加する。なお、正電位の印加と負電位の印加を対とした２フレームの中での液晶駆動電圧は、極性は逆でも電位の大きさは同一にする。これにより、サブ表示画素Ｐｃでは１フレームを周期とする反転駆動により駆動周波数６０Ｈｚの画像書き込みが行われる一方、視角制御画素Ｐｂにおいて２フレームを周期とする輝度変化が生じ、周波数３０Ｈｚのフリッカーが生じることになる。
【００４９】
もしくは、視角制御画素Ｐｂに対して、例えば図１０に示すように、フレーム反転駆動を行いつつ、相対的に高い電圧＋ＶＨ，−ＶＨ，＋ＶＨと相対的に低い電圧−ＶＬ，＋ＶＬ，−ＶＬとを３フレーム毎に交互に印加するというように、３フレーム毎に異なる実効値を持つ液晶駆動電圧を印加しても良い。この場合、サブ表示画素Ｐｃ側は図９（Ａ）の駆動信号を採用すれば、サブ表示画素Ｐｃでは１フレームを周期とする反転駆動により駆動周波数６０Ｈｚの画像書き込みが行われる一方、視角制御画素Ｐｂにおいて３フレームを周期とする輝度変化が生じ、周波数２０Ｈｚのフリッカーが生じることになる。
【００５０】
上記の第１の手段を採用した場合、サブ表示画素Ｐｃと視角制御画素Ｐｂとで容量を異ならせることで液晶層４への実効印加電圧を変えているため、駆動信号を使い分ける必要がなく、輝度制御部１６を含むデータ線駆動回路７の負担を軽減できる。これに対して、上記の第２の手段を採用した場合、サブ表示画素Ｐｃと視角制御画素Ｐｂとで液晶駆動信号を異ならせることで液晶層４への実効印加電圧を変えているため、サブ表示画素Ｐｃと視角制御画素Ｐｂとで画素容量やＴＦＴの寄生容量を変える必要がなく、画素設計が容易である。また、第１の手段を採用した場合には、輝度変化が自ずと２フレーム周期となり、フリッカーの周波数は３０Ｈｚに限定されるが、第２の手段を採用した場合には、図９（Ｂ）や図１０に示したように、液晶駆動信号を変えることにより視角制御画素で生じさせるフリッカーの周波数を選択できる。さらに、第２の手段は、液晶層４に直流成分が印加されないため、直流成分の印加によって液晶材料の分極、分解が促進されるような不安定な材料を用いるときに有効である。
【００５１】
また、本実施形態では、フリッカーの明暗の周波数を３０Ｈｚまたは２０Ｈｚ、表示画素Ｐａの極角度４０度での輝度と視角制御画素Ｐｂの極角度４０度での輝度を合わせた輝度の変化量を５％、極角度が±４０度でのコントラスト比を２：１としたが、フリッカーの明暗の周波数を６０Ｈｚ未満、斜め方向における輝度変化量を最大輝度に対して５％以上、極角度４０度でのコントラスト比を５：１以下とすることが望ましい。指針として、例えば「新編  感覚・知覚心理学ハンドブック、大山正、今井省吾、和気典二編、誠信書房」によれば、以上の条件を満足した場合、観察者が斜め方向から画像を見たときに視覚的、心理的に負担を感じ、十分な視角制限効果が得られる。なお、輝度変化は大きければ大きいほど効果が大きいが、輝度変化の周波数は低ければ低いほど良いというものではない。例えば数分に１回輝度変化が起こっても効果があるとは言えず、少なくとも数秒に１回は輝度変化が起こることで効果が得られる。
【００５２】
以上説明したように、本実施形態の液晶表示装置１によれば、表示面の法線方向に対する斜め方向においてただ単にコントラスト比を低下させるだけでなく、意図的にフリッカー（ちらつき）を発生させることにより、コントラスト比低下とフリッカー発生の相乗効果で斜め方向からの表示がさらに見難くできる。このようにして、視角制限効果を従来よりも高めることができる。
【００５３】
［第２実施形態］
以下、本発明の第２実施形態について図１１〜図１４を用いて説明する。
第１実施形態ではＦＦＳ方式の液晶表示装置の例を挙げたが、本実施形態ではＶＡ（Vertical Alignment：垂直配向）方式の液晶表示装置の例を挙げる。また、第１実施形態では表示画素に加えて視角制御画素を備えた例を挙げたが、本実施形態では視角制御画素を備えていない例を挙げる。なお、液晶表示装置の概略構成は第１実施形態と同様であるため、説明を省略し、画素構成と駆動方法について説明する。
図１１は、本実施形態の液晶表示装置の画素パターン構成を示す平面図である。図１２は、図１１のＢ−Ｂ線に沿う断面図である。
【００５４】
本実施形態の液晶表示装置５１は、図１２に示すように、素子基板５２の画素電極５３を覆うように配向膜５４が形成されている。配向膜５４は、非選択電圧印加時における液晶分子を素子基板５２に対して垂直配向させるものであり、必要に応じてラビング処理が施されている。また、対向基板５５の共通電極５６を覆うように配向膜５７が形成されている。
【００５５】
図１１に示すように、画素電極５３には、複数の切り欠き部５８が形成され、１個の画素電極５３が長手方向に複数（図１１では３個）のサブドット５９に分割され、各サブドット５９は長手方向で相互に連結されて電気的に接続されている。そして、端部に配置されたサブドット５９が、ＴＦＤ（Thin Film Diode：薄膜ダイオード）素子６０を介して、データ線６１に接続されている。各サブドット５９は、略円形や略正多角形（図１１では正八角形）等に形成されている。
また、図１２に示すように、対向基板５５上の共通電極５６の表面には、樹脂等の絶縁性材料からなる突起６２が形成されている。突起６２は、素子基板５２に形成されたサブドット５９の中心に対応する位置に形成されている。なお、上述した配向膜５７は、突起６２の表面を覆うように配置されている。
【００５６】
非選択電圧印加時の液晶分子６４ａは、突起６２の表面に対してプレチルトを持った状態で垂直配向している。この状態から画素電極５３と共通電極５６との間に選択電圧を印加すると、プレチルトおよび斜め電界の影響により、液晶分子６４ａはサブドット５９の中心の突起６２からサブドット５９の周辺に向かって傾倒し、液晶分子６４ａが放射状に配向分割される。これにより、液晶分子６４ａのダイレクターを複数作り出すことが可能になり、視角の広い液晶表示装置を実現できる。
【００５７】
素子基板５２、対向基板５５の外面には、それぞれ位相差板６６，６８と偏光板６７，６９とが設けられている。この偏光板６７，６９は、特定方向に振動する直線偏光のみを透過させる機能を有する。また、位相差板６６，６８には、可視光の波長に対して略１／４波長の位相差を持つλ／４板が採用されている。偏光板６７，６９の透過軸と位相差板６６，６８の遅相軸とが約４５°をなすように配置され、偏光板６７，６９と位相差板６６，６８とにより円偏光板が構成されている。この円偏光板は、直線偏光を円偏光に変換し、円偏光を直線偏光に変換するものである。また、偏光板６７の透過軸と偏光板６９の透過軸は略直交するように配置され、位相差板６６の遅相軸と位相差板６８の遅相軸も略直交するように配置されている。さらに、対向基板５５の外面側には、バックライト７２が設置されている。
【００５８】
図１２に示す液晶表示装置５１では、次のようにして画像表示が行われる。バックライト７２から入射した光は、偏光板６９、位相差板６８を透過して円偏光に変換され、液晶層６４に入射する。非選択電圧印加時において、垂直配向している液晶分子６４ａには屈折率異方性がないので、入射光は円偏光を保持したまま液晶層６４を透過する。さらに、円偏光は、位相差板６６を透過する過程で、偏光板６７の透過軸と直交する直線偏光に変換される。この直線偏光は偏光板６７を透過しないので、本実施形態の液晶表示装置５１では、非選択電圧印加時において暗表示が行われる（ノーマリーブラックモード）。
【００５９】
一方、液晶層６４に選択電圧を印加すると、液晶分子６４ａが基板と平行に（電界方向と垂直に）再配向して、屈折率異方性を発現する。そのため、液晶層６４に入射した円偏光は、液晶層６４を透過する過程で楕円偏光に変換される。この楕円偏光が位相差板６６を透過しても、偏光板６７の透過軸と直交する直線偏光には変換されず、その全部または一部が偏光板６７を透過する。したがって、本実施形態の液晶表示装置５１では、選択電圧印加時において明表示が行われる。なお、液晶層６４に印加する電圧を調整すれば、階調表示を行うことができる。
【００６０】
（駆動方法）
図１３は、本実施形態の液晶表示装置５１のＴ−Ｖ曲線図であり、横軸は液晶層６４への印加電圧であり、縦軸はバックライトの明るさを１とした場合の相対的な明るさ（光透過率）である。ノーマリーブラックモードの液晶表示装置では、閾値電圧を超えると急激に明るさが増加する。そこで、一般的な液晶表示装置では、閾値電圧に比べて十分に高い選択電圧により明表示が行われ、閾値電圧の近傍の非選択電圧により暗表示が行われる。図１３の場合には、一例として２．６Ｖを第１明表示電圧（Ｂ点）に、１．７５Ｖを第１暗表示電圧（Ａ点）に設定する。ここで、第１明表示電圧（Ｂ点）と第１暗表示電圧（Ａ点）との組み合わせを、第１明暗表示電圧と呼ぶ。なお、第１明暗表示電圧の間の電圧を液晶層６４に印加すれば、液晶表示装置において階調表示を行うことができる。
【００６１】
図１４（Ａ）は第１明暗表示電圧を印加した場合の液晶表示装置５１の視角特性図であり、横軸は視角であり、縦軸はバックライトの明るさを１とした場合の相対的な明るさ（光透過率）である。図１４（Ａ）に示すように、第１暗表示電圧を印加した場合（破線で示す）には、全ての視角で透過率がほとんど０になっている。これに対して、第１明表示電圧を印加した場合（実線で示す）には、広い視角範囲で透過率が高くなっている。これは、広い視角範囲で正しい明暗表示（画像表示）が可能であることを意味する。したがって、第１明暗表示電圧の組み合わせでは、広視角表示を行うことができる。
【００６２】
ところで、図１３に示すＴ−Ｖ曲線図によれば、第１明表示電圧（Ｂ点）から更に電圧を上昇させるとピークを過ぎた後、徐々に透過率が低下し、十分な高電圧では再び０になることがわかる。これは、電圧の上昇により液晶分子の傾きが徐々に大きくなることに起因している。なお、液晶層のリタデーションが大きいほど、透過率の低下率が大きくなり、比較的低電圧で透過率が０になる。本実施形態では、液晶層のリタデーションを０．６μｍ以上と比較的大きく設定しており、図１３に示すように、約１０Ｖにおいて透過率が０になっている。そこで、一例として、１．９５Ｖを第２暗表示電圧（Ｄ点）に、２．５Ｖを第２明表示電圧（Ｃ点）に設定する。第２明表示電圧（Ｃ点）と第２暗表示電圧（Ｄ点）との組み合わせを、第２明暗表示電圧と呼ぶ。第２明暗表示電圧の間の電圧を液晶層６４に印加すれば、液晶表示装置において階調表示を行うことができる。
【００６３】
図１４（Ｂ）は第２明暗表示電圧を印加した場合の液晶表示装置の視角特性図であり、横軸は視角［度］であり、縦軸はバックライトの明るさを１とした場合の相対的な明るさ（光透過率）である。図１４（Ｂ）に示すように、第２明表示電圧を印加した場合（実線で示す）には、比較的広い視角範囲で透過率が高くなっている。これに対して、第２暗表示電圧を印加した場合（破線で示す）には、視角０度のときに透過率は０であるが、視角が大きくなると透過率が増加している。これにより、０度以外の視角においては、暗表示であるべき状態のコントラスト比が低下し、表示内容の視認性を低下させる。したがって、第２明暗表示電圧の組み合わせでは、狭い視角範囲のみで正しい画像表示が可能になり、狭視角表示が行われる。なお、この際に第２明表示電圧については、第１明表示電圧と同一の電圧であっても視野角を制限する効果を得られるため、第２明表示電圧を第１明表示電圧と同一に設定しても差し支えない。
【００６４】
そこで、データ線駆動回路の輝度制御部は、広視角表示時には、第１明暗表示電圧の組み合わせからなる画像信号を各表示画素に供給する。一方、狭視角表示時には、第１明暗表示電圧の組み合わせと第２明暗表示電圧の組み合わせとを２フレーム毎に交互に切り換えるというように、２フレーム毎に異なる明表示電圧、暗表示電圧を持つ液晶駆動信号を印加する。なお、第１実施形態と同様、上記の駆動方法と合わせてフレーム反転駆動を採用することが望ましい。この駆動方法を採用すると、図１４（Ａ）、（Ｂ）から判るように、狭視角表示時には、サブ表示画素を正面方向から見たときには、２フレーム毎に異なる明表示電圧、暗表示電圧が印加されているにも係わらず、時間的な輝度変化のない画像が視認できる。一方、サブ表示画素を斜め方向から見たときには、図１４（Ａ）に示すような、正面に比べて若干コントラスト比が低下するものの正常な画像と、図１４（Ｂ）に示すような、明表示と暗表示との差がない画像、もしくは明表示と暗表示が反転した画像と、が２フレーム毎に切り換わり、周波数３０Ｈｚのフリッカーが生じることになる。
【００６５】
このように、本実施形態の液晶表示装置５１によれば、狭視角表示時に斜め方向から画面を見たときに単にコントラスト比が低下するのみならず、フリッカーが視認されるため、斜め方向からの表示がさらに見難くでき、従来に比べて視角制限効果を高められる、といった第１実施形態と同様の効果を得ることができる。また、本実施形態の液晶表示装置５１は、第１実施形態と異なり、視角制御画素を備えていないため、視角制御効果を得るための特別な画素設計が不要である。
【００６６】
なお、本実施形態では、第１明暗表示電圧、第２明暗表示電圧と称した明表示電圧、暗表示電圧の対同士を２フレーム毎に切り換える構成例を示したが、この構成に代えて、例えば明表示電圧同士を２フレーム毎に切り換えて暗表示電圧は一定とする構成、もしくは暗表示電圧同士を２フレーム毎に切り換えて明表示電圧は一定とする構成を採用しても良い。すなわち、斜め方向から画像を見たときにフリッカーが生じる構成であれば上記のいずれの電圧の組み合わせを用いても良い。また、斜め方向から画像を見たときにのみフリッカーが生じる構成が最も好ましく、正面方向から画像を見たときにもフリッカーが生じる構成はあまり好ましくない。さらに、正面方向から画像を見たときに暗表示の透過率が上昇する、いわゆる黒浮きが生じるような駆動方法は避けた方が良く、その他の組み合わせを用いるのが望ましい。また、フリッカーの周期は２フレームに限ることはなく、３フレーム以上としても良い。
【００６７】
［電子機器］
上記実施形態の液晶表示装置１，５１は、例えば図１５に示すような携帯電話機（電子機器）１００の表示部１０１として適用できる。この携帯電話機１００は、視角制御画素Ｐｂによる視角制御の切り替えが可能な複数の操作ボタン１０２、受話口１０３、送話口１０４及び上記表示部１０１を有する本体部１０５を備えている。そして、表示部１０１に表示される画像は、視角制御画素Ｐｂの非駆動時において正面方向および斜め方向から視認され、視角制御画素Ｐｂの駆動時において正面方向からは視認されるが、極角度が大きい斜め方向からは視認され難くなる。
【００６８】
なお、本発明の技術範囲は上記実施形態に限定されるものではなく、本発明の趣旨を逸脱しない範囲において種々の変更を加えることが可能である。例えば上記第１実施形態ではＦＦＳ方式、第２実施形態ではＶＡ方式の液晶表示装置の例を挙げたが、液晶モードはこれらに限定されるものではなく、他の液晶モードを採用することもできる。その他、上記実施形態で例示した基板構成、素子構成、電極構成、各種構成要素の材料、寸法、駆動条件等の具体的な構成はほんの一例であり、適宜変更が可能である。
【符号の説明】
【００６９】
１，５１…液晶表示装置、２，５２…素子基板、３，５５…対向基板、４，６４…液晶層、１２，１３，５３…画素電極、１６…輝度制御部、Ｐａ…表示画素、Ｐｂ…視角制御画素、Ｐｃ…サブ表示画素。
【図１】
2010243520.tif 000003
【図２】
2010243520.tif 000004
【図３】
2010243520.tif 000005
【図４】
2010243520.tif 000006
【図５】
2010243520.tif 000007
【図６】
2010243520.tif 000008
【図７】
2010243520.tif 000009
【図８】
2010243520.tif 000010
【図９】
2010243520.tif 000011
【図１０】
2010243520.tif 000012
【図１１】
2010243520.tif 000013
【図１２】
2010243520.tif 000014
【図１３】
2010243520.tif 000015
【図１４】
2010243520.tif 000016
【図１５】
2010243520.tif 000017